【事件の表示】
　特願２００２−　２７０９２「電源回路および通信システム」拒絶査定不服審判事件〔平成１５年　８月１５日出願公開、特開２００３−２２８４４４〕について、次のとおり審決する。
【結　論】
　本件審判の請求は、成り立たない。
【理　由】
１．手続きの経緯
　本願は、平成１４年２月４日の出願であって、平成１９年３月３０日付けで拒絶査定がなされたところ、これに対して同年５月７日に拒絶査定に対する審判請求がなされるとともに、同年６月６日に手続補正書が提出されたものである。
　
２．補正却下の決定
　平成１９年６月６日に提出された手続補正書による補正の却下の決定
　
（１）［補正却下の決定の結論］
　平成１９年６月６日に提出された手続補正書による補正（以下、「本件補正」という。）を却下する。
　
（２）［補正却下の決定の理由］
（ａ）補正の内容
　本件補正によると、その特許請求の範囲の請求項１は、
「通常動作状態時の電力源である主電源回路と省電力動作状態時の電力源である補助電源回路とを備えるとともに、前記通常動作状態と前記省電力動作状態とが切換自在であり該動作状態に基づいた所定の電力の供給を行う電源回路であって、
　前記省電力動作状態時に、通常動作状態に復帰すべき旨の復帰信号を検出する複数の信号検出回路と、前記複数の信号検出回路のそれぞれに接続されるとともに前記複数の信号検出回路からの信号に基づいて主電源回路を起動させる主電源起動回路とからなる復帰手段を備え、
　前記省電力動作状態において前記復帰手段のみに電力を供給し、
　前記復帰手段は、クロック回路を有せず、
　前記復帰手段に対して前記補助電源回路から電力を供給し、
前記復帰手段における前記複数の信号検出回路は、前記主電源回路からの電力供給によって動作するメイン制御回路のインタフェース部と分離して配置されることを特徴とする電源回路。」
と補正されている。　
　
　上記補正は、補正前の請求項１を引用する補正前の請求項２をさらに引用する補正前の請求項３を独立形式に変更し、補正前の請求項３に記載した発明を特定するために必要な事項である「複数の信号検出回路」を「前記主電源回路からの電力供給によって動作するメイン制御回路のインタフェース部と分離して配置される」と限定するものであり、本件補正は、特許法第１７条の２第４項第２号に規定する特許請求の範囲の減縮を目的とするものに該当するといえる。
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　
（ｂ）引用例
　原査定の拒絶の理由に引用された特開２０００−１８１５８５号公報（以下、「引用例」という。）には、図とともに、以下のような記載がある。
　
（ア）「【００１０】
【課題を解決するための手段】本発明の電源立ち上げ装置は、ホストコンピュータと、このホストコンピュータにインターフェースを介して接続された入力装置と、前記ホストコンピュータを起動させる主電源と、前記主電源がオフ状態にあるときに前記入力装置に電力を供給するサブ電源とが設けられており、前記ホストコンピュータには、前記主電源がオフ状態にあるときに、前記入力装置の所定の操作がなされることにより、前記主電源を立ち上げ且つ前記ホストコンピュータを起動させるウエークアップ手段が設けられていることを特徴とするものである。
【００１１】本発明では、ホストコンピュータの主電源（メインパワー）の電源スイッチが落ちている状態（オフ状態）において、キーボードなどが操作されると、主電源が立ち上げられ、ホストコンピュータが起動する。
【００１２】このような動作を可能とするため、キーボードなどの入力装置には、ホストコンピュータに設けられたサブ電源（バッテリー）からの電力がインターフェースを介して供給されている。したがって、ホストコンピュータの主電源がオフ状態にある場合は通常のサスペンドモード同様の低電力状態に設定されている。
【００１３】入力装置で所定の操作が行われると、主電源が立ち上げられるが、このときの操作はキーボード上に設けた専用のパワーオンキーで行なってもよいし、また複数のキーの組み合せを操作することによって行ってもよい。あるいはマウスなどのスイッチを所定時間、あるいは所定回数操作することにより行ってもよい。
【００１４】上記において、前記インターフェース上には、主電源がオン状態にあるときに前記ホストコンピュータの信号ラインと前記入力装置の信号ラインとを接続し、主電源がオフ状態にあるときに前記ウエークアップ手段と入力装置の信号ラインとの接続に切り換える切換え手段が設けられており、前記主電源がオフ状態において、前記入力装置の所定の操作がなされたときに、前記ウエークアップ手段により生成された起動信号が主電源に供給されて前記主電源が立ち上げられるとともに、前記主電源が立ち上がることにより前記切換え手段が前記ホストコンピュータの信号ラインと前記入力装置の信号ラインとを結ぶ接続に切り換えられるものが好ましい。上記切換え手段は、例えばリレーであってもよいし、または論理回路で構成されてもよい。
【００１５】本発明では、主電源がオフ状態のときには、ウエークアップ手段とキーボードなどの入力手段が接続されており、例えばキーボードの所定のキーを操作することなどにより、ウエークアップ手段により主電源が立ち上げられホストコンピュータが起動されるとともに、ホストコンピュータとキーボードなどの入力装置との間の信号ラインを接続される。よって、ホストコンピュータの起動後は、キーボードなどの操作入力信号をホストコンピュータに送信することができる。」（段落【００１０】〜【００１５】）
　
（イ）「【００２１】図１に示すように、ホスト１の内部には、ＵＳＢ（Universal Serial Bus）インターフェース用のＬＳＩとしてＵＳＢチップ２、ウェークアップ手段３、切換え手段４、主電源５およびサブ電源６が設けられている。前記ＵＳＢチップ２には、ＵＳＢインターフェース仕様に対応する電源入力端子Ｖｃｃ、グランド端子ＧＮＤ、第１の信号ラインＤ＋および第２の信号ラインＤ−が設けられている。なお、図１ではＵＳＢインターフェース上、特に重要な端子のみを示しており、ＵＳＢチップ２に設けられているその他の端子は省略されている。また、図１では主電源５の＋端子とＧＮＤ端子の間に発生する出力電圧をＥ、サブ電源６のＯＵＴ端子とＧＮＤ端子との間に発生する出力電圧をＶで示している。
【００２２】ＵＳＢチップ２の電源入力端子Ｖｃｃは、前記主電源５の＋端子に接続され、ＧＮＤ端子はグランドラインに接地されている。すなわち、ＵＳＢチップ２は、主電源５から電力の供給を受けて駆動されている。またＵＳＢチップ２は、ホスト１内のＣＰＵとローカルバスによって接続され、このＣＰＵによって制御されている。
【００２３】前記ウェークアップ手段３には、ＯＰアンプなどから構成された第１の比較手段３Ａおよび第２の比較手段３Ｂが設けられている。前記第１，第２の比較手段３Ａ，３Ｂの第１の入力端子３Ａ１および３Ｂ１は、所定の抵抗を介して接地されている。また第１および第２の比較手段３Ａおよび３Ｂの第２の入力端子３Ａ２および３Ｂ２には、それぞれ基準電圧７（例えば、１．５ボルト）が印加されている。そして、第１の比較手段３Ａおよび第２の比較手段３Ｂの出力端子３Ａ３および３Ｂ３は、ＡＮＤ回路８の入力端子８ａ，８ｂにそれぞれ接続されている。さらにＡＮＤ回路８の出力端子８ｃは、主電源５のパワーオン端子５ａに接続されている。
【００２４】一方、キーボード１１にも、ＵＳＢチップ１２が設けられている。このＵＳＢチップ１２は、例えばキーボード１１内に設けられた制御手段（または信号発生手段）である８ビット・マイクロコントローラ（図示せず）で制御されている。そして、ホスト１側のＵＳＢチップ２とキーボード１１側のＵＳＢチップ１２とは、ＵＳＢケーブル９によって接続されている。
【００２５】前記切換え手段４は、例えばリレーなどから構成され、ホスト１に設けられたＵＳＢケーブル９用の接続コネクタ端子１ａとＵＳＢチップ２との間に設けられている。図１に示される切換え手段４は、第１のリレー接点４Ａおよび第２のリレー接点４Ｂを有している。第１のリレー接点４Ａには、ホスト１側に２つの接続端子４Ａ１，４Ａ２が設けられ、キーボード１１側に１つの接続端子４Ａ３が設けられている。同様に第２のリレー接点４Ｂには、ホスト１側に２つの接続端子４Ｂ１，４Ｂ２が設けられ、キーボード１１側に１つの接続端子４Ｂ３が設けられている。」（段落【００２１】〜【００２５】）
　
（ウ）「【００２７】主電源５には、電源スイッチ５Ａが設けられており、この電源スイッチ５Ａが人為的にオン操作されることにより、あるいはパワーオン端子５ａに所定の信号が入力されることにより、ホスト１内への電力の供給が行われる。
【００２８】一方、サブ電源６は、バッテリーなどから構成され、ウェークアップ手段３の第１，第２の比較手段３Ａ，３ＢおよびＡＮＤ回路８に電力を供給している。また主電源５およびサブ電源６の出力は、ダイオードＤ１およびＤ２によりダイオードオア接続され、前記コネクタ端子１ａおよびＵＳＢケーブル９を介してキーボード１１内のＵＳＢチップ１２の電源入力端子Ｖｃｃに接続されている。すなわち、キーボード１１には、少なくとも主電源５又はサブ電源６のいずれか一方の電力が供給されている。なお、キーボード１１のＧＮＤ端子は、前記コネクタ端子１ａおよびＵＳＢケーブル９を介してホスト１側のグランドラインに接地されている。」（段落【００２７】、【００２８】）
　
（エ）「【００３１】以上のように構成されるコンピュータの電源立ち上げ装置の動作について説明する。主電源５の電源スイッチ５Ａがオフ状態にある場合には、主電源５からの電力の供給が停止される。よって、ホスト１のＯＳは立ち上がらないため、ＵＳＢチップ２は停止状態にある。
【００３２】また切換え手段４のリレーアクチュエータ４Ｃへの駆動電流の供給も行われないため、前記第１のリレー接点４Ａでは接続端子４Ａ１と接続端子４Ａ３とが接続され、第２のリレー接点４Ｂでは接続端子４Ｂ１と接続端子４Ｂ３とがそれぞれ接続された状態にある。よって、ホスト１とキーボード１１の第１および第２の信号ラインＤ＋，Ｄ−とのが接続が絶たれ、キーボード１１の第１および第２の信号ラインＤ＋，Ｄ−は、ウェークアップ手段３の第１の入力端子３Ａ１および３Ｂ１にそれぞれ接続されている。なお、ホスト１側の前記第１および第２の信号ラインＤ＋，Ｄ−には、ＵＳＢ規格によって所定の抵抗（１５ｋΩ）によりプルダウンされており、ホスト１とキーボード１１の第１および第２の信号ラインＤ＋，Ｄ−どうしが未接続の場合には、ホスト１側の第１および第２の信号ラインＤ＋，Ｄ−はともにＬレベルに設定される。
【００３３】一方、ウェークアップ手段３には、サブ電源６の出力電圧Ｖが印加されている。なお、この状態では、ウェークアップ手段３に供給される電流は５００μＡ以下であり、サスペンドモード同様の低電力モード状態にある。またキーボード１１には、サブ電源６の出力電圧ＶがダイオードＤ２、コネクタ端子１ａ、ＵＳＢケーブル９およびＵＳＢチップ１２の電源入力端子Ｖｃｃを介して供給されている。
【００３４】キーボード１１側では、キーボード１１上に設けたパワーオンキーを操作することにより、あるいはキーボード１１の複数のキーを同時に操作することにより、キーボード１１内のＵＳＢチップ１２の第１の信号ラインＤ＋および第２の信号ラインＤ−を通じてホスト１側に所定の信号が出力される。この信号は、キーボード１１側の制御手段（信号発生手段）である前記８ビット・マイクロコントローラ（図示せず）により生成され、第１の信号ラインＤ＋および第２の信号ラインＤ−共にＨ信号（Ｈ，Ｈ）からなる第４のモードであり、例えばパルス幅が５０ｍsec、パルス電圧が３ボルトである。」（段落【００３１】〜【００３４】）
　
（オ）「【００３６】このような第４のモード信号がキーボード１１側から送信されると、この信号はＵＳＢケーブル９、コネクタ端子１ａ，切換え手段４の第１のリレー接点４Ａ，４Ｂを介してウェークアップ手段３の第１および第２の比較手段３Ａ，３Ｂの第１の入力端子３Ａ１，３Ｂ１にそれぞれ入力される。すなわち、第１および第２の比較手段３Ａ，３Ｂの第１の入力端子３Ａ１，３Ｂ１には、前記第４のモードの信号が入力される。第１および第２の比較手段３Ａ，３Ｂでは、この第４のモードの信号と基準電圧７（１．５ボルト）との比較が行われる。そして、前記第４のモードの信号のパルス電圧が基準電圧７よりも大きな場合に限り、出力端子３Ａ３，３Ｂ３からＨ信号を出力する。すなわち、第１および第２の比較手段３Ａ，３Ｂは、コンパレータとして機能している。
【００３７】第１および第２の比較手段３Ａ，３Ｂの出力端子３Ａ３，３Ｂ３から、同時にＨ信号が出力されると、この信号を受けたＡＮＤ回路からもパルス幅５０ｍsecのＨ信号が出力される。そして、このＨ信号が主電源５のパワーオン端子５ａに入力されることにより、主電源５の電源が立ち上った状態に設定される。
【００３８】主電源５が立ち上がると、その電力は、ホスト１、ＵＳＢチップ２および切換え手段４のリレーアクチュエータ４Ｃなどに供給される。主電源５から前記切換え手段４のリレーアクチュエータ４Ｃに所定の駆動電流が供給されると、第１のリレー接点４Ａでは接続端子４Ａ２と接続端子４Ａ３との接続に切り換えられ、第２のリレー接点４Ｂでは接続端子４Ｂ２と接続端子４Ｂ３との接続にそれぞれ切換えられる。よって、ホスト１とキーボード１１の第１および第２の信号ラインＤ＋，Ｄ−どうしが接続されるため、ホスト１とキーボード１１との間で信号の通信が可能な状態に設定することができる。
【００３９】またホスト１に電源が供給されることにより、ホスト１内の常駐プログラムとして存在するＯＳが起動されるため、ホスト１が立ち上り、キーボードの入力を受け付ける環境が設定される。」（段落【００３６】〜【００３９】）
　
　以上の記載によれば、この引用例には以下のような発明（以下、「引用例発明」という。）が開示されていると認められる。
　
「ホストコンピュータ内部にＵＳＢインターフェース用ＬＳＩであるＵＳＢチップ２、ウェークアップ手段３、切換え手段４、主電源５およびサブ電源６が設けられ、前記主電源５がオフ状態にあるときにこのホストコンピュータにインターフェース（ＵＳＢケーブル）を介して接続された入力装置（キーボード）の所定の操作がなされることにより、前記主電源を立ち上げてホストコンピュータを起動させる電源立ち上げ装置であって、
　前記ウェークアップ手段３は比較手段（コンパレータ）、ＡＮＤ回路等から構成され、前記サブ電源６の電力が供給されており、前記入力装置（キーボード）の所定操作によって出力される所定の信号がインターフェース（ＵＳＢケーブル）を介して比較手段（コンパレータ）に入力されて基準電圧と比較され、前記所定の信号が前記基準電圧よりも大きな場合に、ＡＮＤ回路からＨ信号が出力され、このＨ信号が主電源５のパワーオン端子５ａに入力されることにより主電源５は立ち上がった状態に設定され、
　主電源５が立ち上がると、その電力は、ホストコンピュータ、前記ＵＳＢチップ２及び前記切換え手段４に供給されてホストコンピュータと前記入力装置（キーボード）との間で信号の通信が可能な状態に設定することができることを特徴とするコンピュータの電源立ち上げ装置。」　
　
（ｃ）対　比
　本願補正発明と引用例発明とを対比する。
　引用例発明の「主電源５」はホストコンピュータの通常動作状態時の電力源であり、「主電源５」がオフ状態で「サブ電源６」のみで電力を供給している状態は、省電力動作状態時といえるから、引用例発明の「主電源５」及び「サブ電源６」は、それぞれ本願補正発明の「通常動作状態時の電力源である主電源回路」及び「省電力動作状態時の電力源である補助電源回路」に相当し、引用例発明の「入力装置（キーボード）の所定の操作がなされることにより、前記主電源を立ち上げてホストコンピュータを起動させる電源立ち上げ装置」は、本願発明の「前記通常動作状態と前記省電力動作状態とが切換自在であり該動作状態に基づいた所定の電力の供給を行う電源回路」に相当するといえる。
　引用例発明の「入力装置（キーボード）の所定操作によって出力される所定の信号」は、本願補正発明の「通常動作状態に復帰すべき旨の復帰信号」に相当し、引用例発明の「ウェークアップ手段３」の「比較手段（コンパレータ）」は、「省電力動作状態時に、通常動作状態に復帰すべき旨の復帰信号を検出する信号検出回路」である点で本願補正発明と一致するといえ、引用例発明の「ウェークアップ手段３」の「ＡＮＤ回路」は、「比較手段（コンパレータ）」に接続されるとともに「比較手段（コンパレータ）からのＨ信号」に基づいて主電源５を立ち上げているから、「前記信号検出回路に接続されるとともに前記信号検出回路からの信号に基づいて主電源回路を起動する主電源起動回路」である点で本願補正発明と一致しているといえ、引用例発明の「ウェークアップ手段３」は、「省電力動作状態時に、通常動作状態に復帰すべき旨の復帰信号を検出する信号検出回路と、前記信号検出回路に接続されるとともに前記信号検出回路からの信号に基づいて主電源回路を起動する主電源起動回路とからなる」点で本願補正発明の「復帰手段」と一致している。
　引用例発明は、主電源回路５がオフしているときに「ウェークアップ手段３」にサブ電源回路６から電源を供給し、ホストコンピュータ、前記ＵＳＢチップ２及び前記切換え手段４に電力を供給しておらず、引用例発明の「ウェークアップ手段３」は「クロック回路」を有していないから、本願補正発明と「前記省電力動作状態において前記復帰手段のみに電力を供給し、前記復帰手段は、クロック回路を有せず、前記復帰手段に対して前記補助電源回路から電力を供給」する点で一致する。
　引用例発明の「ＵＳＢチップ２」は、ＵＳＢインターフェース用ＬＳＩであって、主電源５が立ち上がると、その電力は、ホストコンピュータ、ＵＳＢチップ２に供給されてホストコンピュータと入力装置（キーボード）との間で信号の通信が可能な状態になるから、本願補正発明の「主電源回路からの電力供給によって動作するメイン制御回路のインターフェース部」に相当するといえ、また、引用例発明の「ウェークアップ手段３」の「比較手段（コンパレータ）」は、「ＵＳＢチップ２」と分離して配置されていることは明らかであり、引用例発明は、「前記復帰手段における前記信号検出回路は、前記主電源回路からの電力供給によって動作するメイン制御回路のインタフェース部と分離して配置される」点で本願補正発明と一致するといえる。
　
　そうすると、両者は、
「通常動作状態時の電力源である主電源回路と省電力動作状態時の電力源である補助電源回路とを備えるとともに、前記通常動作状態と前記省電力動作状態とが切換自在であり該動作状態に基づいた所定の電力の供給を行う電源回路であって、
　前記省電力動作状態時に、通常動作状態に復帰すべき旨の復帰信号を検出する信号検出回路と、前記信号検出回路に接続されるとともに前記複数の信号検出回路からの信号に基づいて主電源回路を起動させる主電源起動回路とからなる復帰手段を備え、
　前記省電力動作状態において前記復帰手段のみに電力を供給し、
　前記復帰手段は、クロック回路を有せず、
　前記復帰手段に対して前記補助電源回路から電力を供給し、
前記復帰手段における前記複数の信号検出回路は、前記主電源回路からの電力供給によって動作するメイン制御回路のインタフェース部と分離して配置されることを特徴とする電源回路。」
で一致するものであり、次の点で相違している。
　
　本願補正発明は、復帰手段が「複数の信号検出回路と、前記複数の信号検出回路のそれぞれに接続されるとともに前記複数の信号検出回路からの信号に基づいて主電源回路を起動させる主電源起動回路とからなる」のに対し、引用例発明は、復帰手段が一つの信号検出回路と、該信号検出回路に接続されるとともに該信号検出回路からの信号に基づいて主電源回路を起動させる主電源起動回路とからなる点。
　
（ｄ）当審の判断
　上記相違点について検討する。
　本願補正発明における「複数の信号検出回路」について、本願明細書には、「【００３５】主電源制御部３０は、公衆回線を介して入力されるＦＡＸの受信を検出するリング検出回路３１、イーサネット（登録商標）等を介してのローカルエリア内で通信されるデータの入力を検出するＬＡＮ信号検出回路３２、ＩＥＥＥ１２８４インタフェースを介して外部機器から入力される信号を検出する１２８４信号検出回路３３、ＵＳＢインタフェースを介して外部機器から入力される信号を検出するＵＳＢ信号検出回路２４、操作パネルＳＷ４０のスイッチがユーザによりオンされたこと等を検出するパネル信号検出回路３５、および、前記それぞれの検出回路（３１〜３５）にからの信号に基づいて主電源回路の起動させる主電源起動回路３６を備えている。
【００３６】操作パネルＳＷ４０は、ユーザからのコマンド等を受け付ける操作部に設けられるスイッチであり、ここでは主に、ユーザの意志により省電力状態の電源回路１を通常状態に復帰させる際に使用するものである。」（段落【００３５】、【００３６】）と記載されており、本願補正発明における「複数の信号検出回路」は、外部から複数のインタフェースを介して入力される信号や操作部のスイッチのオン信号を検出するための複数の信号検出回路といえる。　
　そして、外部から複数のインタフェースを介して入力される信号を検出する複数の検出手段を備え、該複数の検出手段の信号の検出により電源を省電力動作状態から通常動作状態に復帰制御することは、本出願前周知の技術（特開２００１−２１１２７４号公報段落【０００６】の記載、特開２００１−２５７７３５号公報段落【００３５】、【００３９】の記載、特開２００１−２６８３０３号公報段落【０００６】、【０００７】の記載参照）である。
　また、引用例には「本発明では、ホストコンピュータの主電源（メインパワー）の電源スイッチが落ちている状態（オフ状態）において、キーボードなどが操作されると、主電源が立ち上げられ、ホストコンピュータが起動する。」（段落【００１１】）、「主電源５には、電源スイッチ５Ａが設けられており、この電源スイッチ５Ａが人為的にオン操作されることにより、あるいはパワーオン端子５ａに所定の信号が入力されることにより、ホスト１内への電力の供給が行われる。」（段落【００２７】）及び「以上のように構成されるコンピュータの電源立ち上げ装置の動作について説明する。主電源５の電源スイッチ５Ａがオフ状態にある場合には、主電源５からの電力の供給が停止される。よって、ホスト１のＯＳは立ち上がらないため、ＵＳＢチップ２は停止状態にある。」（段落【００３１】）と記載されており、「主電源の電源スイッチ５Ａ」のオン信号を検出して主電源を立ち上げる（通常動作状態に復帰する）ことが示唆されている。
　したがって、上記周知技術及び引用例の記載を考慮すれば、引用例発明において、復帰手段を「複数の信号検出回路と、前記複数の信号検出回路のそれぞれに接続されるとともに前記複数の信号検出回路からの信号に基づいて主電源回路を起動させる主電源起動回路とからなる」ものとすることは、当業者が容易になし得ることである。
　
　そして、本願補正発明により奏される効果は当業者であれば引用例発明及び周知技術から予想できる範囲内のものである。
　
（ｅ）結論
　そうすると、本願補正発明は、引用例発明及び周知技術に基づいて当業者が容易に発明をすることができたものであるから、特許法第２９条第２項の規定により、特許出願の際独立して特許を受けることができないものである。
　したがって、本件補正は、平成１８年法律第５５号改正附則第３条第１項によりなお従前の例とされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明
　上記のとおり、上記本件補正は却下されたので、本願請求項１に係る発明（以下、「本願発明」という。）は、平成１８年８月１８日に提出された手続補正書における特許請求の範囲の請求項１に記載された事項により特定される、以下のとおりのものである。
　
「通常動作状態時の電力源である主電源回路と省電力動作状態時の電力源である補助電源回路とを備えるとともに、前記通常動作状態と前記省電力動作状態とが切換自在であり該動作状態に基づいた所定の電力の供給を行う電源回路であって、
　前記省電力動作状態時に、通常動作状態に復帰すべき旨の復帰信号を検出する複数の信号検出回路と、前記複数の信号検出回路のそれぞれに接続されるとともに前記複数の信号検出回路からの信号に基づいて主電源回路を起動させる主電源起動回路とからなる復帰手段を備え、
　前記省電力動作状態において前記復帰手段のみに電力を供給することを特徴とする電源回路。」
　
４．引用例
　原査定の拒絶理由に引用された引用例、及びその記載事項は、前記「２．（２）（ｂ）」に記載したとおりである。
　
５．対比
　本願発明は、前記２．で検討した本願補正発明の「前記復帰手段は、クロック回路を有せず」、「前記復帰手段に対して前記補助電源回路から電力を供給し」及び「前記復帰手段における前記複数の信号検出回路は、前記主電源回路からの電力供給によって動作するメイン制御回路のインタフェース部と分離して配置される」という限定を省いたものである。
　そうすると、本願発明の構成要件を全て含み、さらに限定したものに相当する本願補正発明が前記２．に記載したとおり、引用例発明及び周知技術に基づいて、当業者が容易に発明をすることができたものであるから、本願発明も同様の理由により、引用例発明及び周知技術に基づいて、当業者が容易に発明をすることができたものである。
　
６．むすび
　以上のとおり、本願発明は、引用例発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。